(57)【要約】【課題】ごみ取れ性能に優れ、平らな床面では回転音が低く、絨毯でも強力にごみを取ることができる電気掃除機用吸込具を安価で簡単な構成にて提供する。【解決手段】吸い込み口７を有し、清掃体２を装備した回転ブラシ３を回転自在に収納した回転ブラシ収納室４と、回転ブラシ３を回転させるための空気を取り入れる空気流入口１４と、上下方向に移動自在に保持されると共に、床面の種類に応じて上下動して回転ブラシ３と接触、離脱を行う回転抑制手段２１を配したもので、例えば、木床などの硬い床面に電気掃除機用吸込具１を置いたときに、回転抑制手段２１の下端が床面に当接して上方に移動し、回転ブラシ３に接触させることで、その回転数を低下させることができ、絨毯などの柔らかな床面では、回転抑制手段２１の下端が絨毯内に没し下方に移動するので、回転抑制手段が回転ブラシから離れ回転数が上がり、しっかり塵を掻き取ることができる。【選択図】図６
2009017911.tif 000002
【特許請求の範囲】
【請求項１】
清掃体を装備した回転ブラシを回転自在に収納した回転ブラシ収納室と、この回転ブラシ収納室と連通し、かつ掃除機本体の接続部品に接続するためのノズルパイプと、前記回転ブラシ収納室の床面側に設けた集塵用の吸い込み口と、前記回転ブラシを回転させるための空気を取り入れる空気流入口と、床面に応じて前記回転ブラシと接触、離脱を行う回転抑制手段を配した電気掃除機用吸込具。
【請求項２】
回転抑制手段は、回転ブラシの下方前方に上下方向に移動自在に保持されると共に、床面の種類に応じて上下動して前記回転ブラシと接触、離脱を行うことを特徴とした請求項１に記載の電気掃除機用吸込具。
【請求項３】
回転抑制手段は、回転ブラシの前方下方に回動自在に保持されると共に、床面の種類に応じて回動して、前記回転ブラシと接触、離脱を行うことを特徴とした請求項１に記載の電気掃除機用吸込具。
【請求項４】
回転抑制手段の回転ブラシと接触する面に、前記回転ブラシに摺接すると負の電荷を生じる材料からなる部材を配した請求項１〜３のいずれか１項に記載の電気掃除機用吸込具。
【請求項５】
請求項１〜４のいずれか１項に記載された電気掃除機用吸込具を備えた電気掃除機。
【発明の詳細な説明】
【技術分野】
【０００１】
本発明は、電気掃除機用吸込具及びそれを用いた電気掃除機に関するものである。
【背景技術】
【０００２】
従来、この種の電気掃除機用吸込具は、図１０に示すように、床面上の塵埃を掻き上げるブレード３２を複数片有する回転ブラシ３３と、回転ブラシ３３を回転自在に収納する回転ブラシ収納部３４を備え、回転ブラシ収納部３４の前方に設けた空気流路３１より吸引される空気をブレード３２に当てることによって回転ブラシ３３を回転させ、床面のごみを集塵する構成をとっている（例えば、特許文献１参照）。
【特許文献１】特開平１１−１２３１６５号公報
【発明の開示】
【発明が解決しようとする課題】
【０００３】
しかしながら上記従来の電気掃除機用吸込具の構成では、回転ブラシ３３の回転数が上がると騒音が大きくなるという弊害を有していた。特に、木床などの平らな被掃除面を掃除する場合は、被掃除面と回転ブラシ３３とが一定の距離を取った状態で保たれるため、回転ブラシ３３に加わる負荷が抑えられ、吸引風量が多いと回転ブラシ３３が高速で回転して、音が大きくなっていた。
【０００４】
一方、絨毯などの毛羽立った被掃除面を掃除する場合は、回転ブラシ３３が絨毯の毛に食い込む形となり、回転ブラシ３３を回転させるためには風速を上げるか風量を上げて回転力を高める必要があった。
【０００５】
しかし、単純に風速を上げると風切音が大きくなってしまい、また風量のみを上げるために、吸引用の開口を大きくしても、回転ブラシ３３に風があたる位置が分散してしまい、回転力を上げる効果は不充分であった。状況によっては、一部の空気が回転ブラシ３３の上方を通過し、逆回転方向の流れが生じることも確認されている。
【０００６】
そのため従来は、図１０に示すように、斜め下方向への気流を作り出すために、空気流路３５を傾斜させるなどの手段をとっていたが、それによって空気流入口の面積が絞られ、風速が上がって風切り音が高くなっていた。
【０００７】
本発明は、上記従来の課題を解決するもので、木床面などの平らな被掃除面上では、回転ブラシの回転数を抑え、回転音を低減するとともに、絨毯などの毛羽立った被掃除面上では確実に回転ブラシが回転し、優れたごみとれ性を発揮する使い勝手のよい電気掃除機用吸込具と電気掃除機を提供することを目的とする。
【課題を解決するための手段】
【０００８】
上記従来の課題を解決するために、本発明の電気掃除機用吸込具は、清掃体を装備した回転ブラシを回転自在に収納した回転ブラシ収納室と、この回転ブラシ収納室と連通し、かつ掃除機本体の接続部品に接続するためのノズルパイプと、前記回転ブラシ収納室の床面側に設けた集塵用の吸い込み口と、前記回転ブラシを回転させるための空気を取り入れる空気流入口と、床面に応じて前記回転ブラシと接触、離脱を行う回転抑制手段を配したもので、例えば、木床などの硬い床面に電気掃除機用吸込具を置いたときに、回転抑制手段が回転ブラシに接触し、その回転を妨げることにより、回転数を低下させる。一方、絨毯などの柔らかな床面に、電気掃除機用吸込具を置いたときは、回転抑制手段が回転ブラシから離れ回転数が上がる。これにより、木床などで、回転数が上がって騒音が高くなるのを防止するとともに、絨毯など柔らかで抵抗の大きな床面では、回転を妨げることなくしっかり塵を掻き取ることができ、あらゆる床面で高性能が得られる使い勝手のよい電気掃除機用吸込具を提供することができる。
【０００９】
また、本発明の電気掃除機は、請求項１〜４のいずれか１項に記載された電気掃除機用吸込具を備えたもので、木床などを掃除するときに回転ブラシの回転数が上がって騒音が高くなるのを防止するとともに、絨毯など柔らかで抵抗の大きな床面では、回転ブラシの回転を妨げることなくしっかり塵を掻き取ることができる電気掃除機を提供できる。
【発明の効果】
【００１０】
本発明の電気掃除機用吸込具及び電気掃除機は、木床などで回転数が上がって騒音が高くなるのを防止するとともに、絨毯など柔らかで抵抗の大きな床面では、高回転を維持し、しっかり塵を掻き取ることができ、あらゆる床面で優れたごみ取れ性能を発揮することができる。
【発明を実施するための最良の形態】
【００１１】
第１の発明は、清掃体を装備した回転ブラシを回転自在に収納した回転ブラシ収納室と、この回転ブラシ収納室と連通し、かつ掃除機本体の接続部品に接続するためのノズルパイプと、前記回転ブラシ収納室の床面側に設けた集塵用の吸い込み口と、前記回転ブラシを回転させるための空気を取り入れる空気流入口と、床面に応じて前記回転ブラシと接触、離脱を行う回転抑制手段を配したもので、例えば、木床などの硬い床面に電気掃除機用吸込具を置いたときに、回転抑制手段が回転ブラシに接触し、その回転を妨げることにより、回転数を低下させる。一方、絨毯などの柔らかな床面に、電気掃除機用吸込具を置いたときは、回転抑制手段が回転ブラシから離れ回転数が上がる。これにより、木床などで、回転数が上がって騒音が高くなるのを防止するとともに、絨毯など柔らかで抵抗の大きな床面では、回転を妨げることなくしっかり塵を掻き取ることができ、あらゆる床面で高性能が得られる使い勝手のよい電気掃除機用吸込具を提供することができる。
【００１２】
第２の発明は、特に第１の発明において、回転抑制手段が、回転ブラシの下方前方に上下方向に移動自在に保持されると共に、床面の種類に応じて上下動して前記回転ブラシと接触、離脱を行うことを特徴としたもので、例えば、回転抑制手段の下端を、床面側に突出させておけば、木床などの硬い床面に電気掃除機用吸込具を置いたときに、回転抑制手段の下端が床面に当接して上方に移動し、回転抑制手段が回転ブラシに接触し、その回転を妨げることにより、回転数を低下させる。一方、絨毯などの柔らかな床面に、電気掃除機用吸込具を置いたときは、回転抑制手段の下端が絨毯内に没し下方に移動するので、回転抑制手段が回転ブラシから離れ回転数が上がる。これにより、木床などで、回転数が上がって騒音が高くなるのを防止するとともに、絨毯など柔らかで抵抗の大きな床面では、回転を妨げることなくしっかり塵を掻き取ることができ、あらゆる床面で高性能が得られる使い勝手のよい電気掃除機用吸込具を提供することができる。
【００１３】
第３の発明は、特に第１の発明において、回転抑制手段が、回転ブラシの前方下方に回動自在に保持されると共に、床面の種類に応じて回動して、前記回転ブラシと接触、離脱を行うことを特徴としたもので、例えば、回動する回転抑制手段の一端を床面側に突出させ、他端を回転ブラシに対向させるように配しておけば、木床などの硬い床面に電気掃除機用吸込具を置いたときに、回転抑制手段の一端が床面に当接して回動し、それに伴い他端が回転ブラシに接触し、その回転を妨げることにより、回転数を低下させる。一方、絨毯などの柔らかな床面に、電気掃除機用吸込具を置いたときは、回転抑制手段の一端は絨毯内に没し反対方向に回動するので、回転抑制手段の他端が回転ブラシから離れ回転数が上がる。これにより、木床などで回転数が上がって騒音が高くなるのを防止するとともに、絨毯など柔らかで抵抗の大きな床面では、回転を妨げることなくしっかり塵を掻き取ることができるものである。
【００１４】
第４の発明は、特に、第１又は第２の発明の回転抑制手段の回転ブラシと接触する面に、前記回転ブラシに摺接すると負の電荷を生じる材料からなる部材を配したもので、回転抑制手段が回転ブラシ側に移動したときに、部材が回転ブラシと摺れ合うことでマイナスの電荷が発生し、これがプラスに帯電した塵を引き寄せるため集塵効率が向上し、回転ブラシの回転数が低下しても、しっかり塵を吸い取ることができるものである。
【００１５】
第５の発明は、請求項１〜３のいずれか１項に記載された電気掃除機用吸込具を備えたもので、木床などを掃除するときに回転ブラシの回転数が上がって騒音が高くなるのを防止するとともに、絨毯など柔らかで抵抗の大きな床面では、回転ブラシの回転を妨げることなくしっかり塵を掻き取ることができる電気掃除機を提供できる。
【００１６】
以下、本発明の実施の形態について、図面を参照しながら説明する。なお、この実施の形態によって本発明が限定されるものではない。
【００１７】
（実施の形態１）
以下、本発明の実施の形態１における電気掃除機用吸込具について、図１〜図６を用いて説明する。図１は、本実施の形態における電気掃除機用吸込具の中央断面図、図２は、同電気掃除機用吸込具の上面図、図３は、同電気掃除機用吸込具の部分拡大断面図、図４は、同電気掃除機用吸込具の水平断面図、図５は、同電気掃除機用吸込具を接続した電気掃除機の全体図、図６は、同電気掃除機用吸込具の断面図である。
【００１８】
図１〜６において、本実施の形態における電気掃除機用吸込具１（以下、「吸込具１」という）は、ブラシや、ブレードなどからなる清掃体２を配列した回転ブラシ３を、回転ブラシ収納室４の両端に設けた軸受け５に回転自在に配備してある。回転ブラシ収納室４は、回転ブラシ３とほぼ同径の断面で形成され、床面側の底部１ａには、吸い込み口７が設けてある。
【００１９】
９は、電気掃除機の接続部品の一つである延長管１０と接続するためのノズルパイプで、回転ブラシ収納室４と連通しており、吸い込み口７から吸引されたごみは、ノズルパイプ９を通り、延長管１０、およびホース１１を経て、電気掃除機の掃除機本体８に吸引される。
【００２０】
なおノズルパイプ９と回転ブラシ収納室４は、上下方向に回動自在に連結されており、１２は、その回動中心を示す（具体的構成は、既存の電気掃除機用吸込具の構成と同じであるため説明は省略する）。
【００２１】
回転ブラシ収納室４の前方下部には、前記吸い込み口７とは別の吸引風を取り入れる空気流入口１４が形成されており、この空気流入口１４より、回転ブラシ３を回転させる空気が取り入れられる。
【００２２】
空気流入口１４の開口面積は、平らな床面において掃除機本体の吸引風量の約３０％の風量が吸引できるよう設定してあり、吸い込み口７が塞がれた時でも５０〜７０％の風量が吸引される程度の圧損に抑えてある。また空気流入口１４は、回転ブラシ収納室４の前方の中央寄りに２箇所形成しており、吸引風が回転ブラシ３の中央付近に当たるようにしてある。
【００２３】
１６は、前後に配備したローラーで、吸込具１の底部１ａと床面との間に所定の隙間を設けるように配置されている。また、本実施の形態では、回転ブラシ３の清掃体２の先端を吸込具１の底部１ａより略１ｍｍ突出するようにしている。１７は、回転ブラシ収納室４の前方に形成した突出部で、壁に当たった時の衝撃を受ける補強材の役目をなすとともに、前に配置したローラー１６を回転自在に取り付けてある。
【００２４】
突出部１７の上面には、上方に開口した上方空気取入口１８を、突出部１７の前面には前方に開口した前方空気取入口１９をそれぞれ形成しており、それぞれ前述の２箇所の空気流入口１４の位置に揃えて配置されると共に、空気流入口１４と連通している。
【００２５】
さらに詳細な位置関係を述べると、上方空気取入口１８は、空気流入口１４より高い位置にあると共に、空気流入口１４とほぼ直交する向きに形成されている。一方、前方空気取入口１９は、空気流入口１４に対向する位置にあり、上方空気取入口１８とほぼ直交する向きに開口されている。
【００２６】
上方空気取入口１８の下方には、平板２０が形成されており、平板２０の下流側は、回転ブラシ収納室４の空気流入口１４まで至り、上方空気取入口１８および前方空気取入口１９から入った空気を空気流入口１４までガイドする。
【００２７】
２１は、上下移動自在に取り付けられた回転抑制手段であり、上下方向で摺動自在で、下端が下方に突出した軸２２と、略円弧状で軸２２の上端に取り付けられた円弧状板２３から構成され、上方に移動したときに、円弧状板２３が回転ブラシ３の清掃体２に摺接して回転ブラシ３の回転を抑制するものである。
【００２８】
以上のようの構成された本実施の形態における電気掃除機用吸込具の動作、作用を説明する。
【００２９】
吸込具１を、木床などの平らな被掃除面においた場合、掃除機本体８に内蔵された電動送風機（図示せず）の吸引力により、吸い込み口７、空気流入口１４、および後部の溝１５から空気が吸引される。本実施の形態では、掃除機本体８による吸引風量の約７０％の風量が吸い込み口７から吸引され、約２５％が空気流入口１４から、そして残りの約５％が吸い込み口７の側方に設けた溝（図示せず）の部分から吸引されるようになっている。
【００３０】
空気流入口１４から吸引された空気は、回転ブラシ３を進行方向に正回転させ、床面のごみをかきあげる作用を発揮し、吸い込み口７からの吸引風と相まって床面のごみを集塵する。
【００３１】
このとき空気流入口１４に入る空気は、上方空気取入口１８から入る垂直方向の気流と前方空気取入口１９から入る水平方向の気流とがぶつかり合うため斜め下方向への気流となって回転ブラシ収納室４に入る。そのため回転ブラシ３の外径側に風が当たり、高トルクの回転力が発揮される。
【００３２】
但し、空気流入口１４から吸引される空気は、全体の吸引量の約２５％であり、回転ブラシ３の回転数が著しく上がるわけではない。
【００３３】
本実施の形態において、木床など平らで硬い床面上に吸込具１が置かれた場合、回転抑制手段２１の軸２２の下端が床面に当接して上方に持ち上げられる。これにより、円弧状板２３も上方に移動し、回転ブラシ３と接触し、回転ブラシ３の回転が抑制される。
【００３４】
従来、平らな被掃除面では、回転ブラシ３が高速（約５０００回転／分）で回り、高い回転音を発していたが、本実施の形態によれば、静音化を達成することができる。
【００３５】
また、絨毯などの柔らかな床面では、回転抑制手段２１が下方に移動し、円弧状板２３も下方にあるため、回転ブラシ３と接触せず、回転を妨げないため、絨毯上では、回転ブラシ３の回転数が低下せずしっかり掃除ができる。
【００３６】
また、本実施の形態においては、回転ブラシ３を正回転することにより、この回転ブラシ３と接する回転抑制手段２１の円弧状板２３は常に下向きに押し下げられる力を受けている。従って、回転抑制手段２１の軸２２は床面から浮き上がることが無く床面の種類に応じて追従し安定した突出量を得ることが出来る。
【００３７】
なお、本実施の形態では、回転ブラシ３が進行方向に対して正回転するように構成で説明したが、回転ブラシ３が進行方向に対して逆回転する場合には、回転抑制手段２１を回転ブラシ３の後方に位置させることにより同様の効果を得ることが出来る。
【００３８】
（実施の形態２）
図７は、本発明の第２の実施の形態における電気掃除機用吸込具の断面図である。尚、上記第１の実施の形態における電気掃除機用吸込具と同一部分については、同一符号を付してその説明を省略する。
【００３９】
本実施の形態は、図７に示すように、円弧状板２３の回転ブラシ３側に、一例として、塩ビなどの回転ブラシ３と接触してマイナスの電荷が発生する材料で形成した部材としてイオン板２４を取り付けたもので、他の構成は、上記第１の実施の形態における吸込具１と同じである。上記構成により、回転する回転ブラシ３に円弧状板２３に設けたイオン板２４が摺接すると、マイナスの電荷が発生し、それがプラスに帯電した塵を引き寄せるため集塵効率が向上し、回転数が低下してもしっかり塵を吸い取ることができるものである。
【００４０】
（実施の形態３）
図８は、本発明の第３の実施の形態における電気掃除機用吸込具の断面図である。尚、上記第１の実施の形態における電気掃除機用吸込具と同一部分については、同一符号を付してその説明を省略する。
【００４１】
本実施の形態は、回転ブラシ３の回転を抑制する回転抑制手段２５を、回転ブラシ収納室４の前方に回動自在に軸支され、一側に回転ブラシ３の清掃体２に摺接する回転抑制部２９を有し、他端に、回転自在のローラー２７を有する連結部材２８と、前記ローラー２７を床面側に突出するように連結部材２８を回動付勢するバネ２６で構成したもので、他の構成は上記第１の実施の形態と同じである。
【００４２】
以上のように構成された本実施の形態における電気掃除機用吸込具の動作を以下に説明する。
【００４３】
木床など平らで硬い床面上に吸込具１が置かれた場合、回転抑制手段２５のロ−ラ−２７が、床面に当接するため、回動して上方に移動する。これにより、回転抑制部２９が後方に傾き、回転ブラシ３の清掃体２と接触し、回転ブラシ３の回転数を低減し、騒音の増大を抑制する。
【００４４】
絨毯上では、バネ２６の付勢力により、回転抑制手段２５のロ−ラ−２７が絨毯内に没するので、連結部材２８が、反対方向に回動、すなわち、回転抑制部２９が回転ブラシ３の清掃体２から離反するので、回転ブラシ３の回転が妨げられることが無く、十分清掃機能を発揮することができる。
【００４５】
尚、図９に示すように、回転抑制手段２５の回転ブラシ３側に、一例として塩ビなどの回転ブラシ３と接触してマイナスの電荷が発生する材料で形成した部材としてイオン板３０を取り付けるようにすれば、回転ブラシ３の回転によりマイナスの電荷が発生する。これがプラスに帯電した塵を引き寄せるため集塵効率が向上し、回転数が低下してもしっかり塵を吸い取ることができるものである。
【産業上の利用可能性】
【００４６】
以上のように、本発明にかかる電気掃除機用吸込具及び電気掃除機は、安価で使い勝手のよい極めて有用なものである。
【図面の簡単な説明】
【００４７】
【図１】本発明の実施の形態１における電気掃除機用吸込具の中央断面図
【図２】同電気掃除機用吸込具の上面図
【図３】同電気掃除機用吸込具の部分拡大断面図
【図４】同電気掃除機用吸込具の水平断面図
【図５】同電気掃除機用吸込具を接続した電気掃除機の全体図
【図６】同電気掃除機用吸込具の断面図
【図７】（ａ）本発明の実施の形態２における電気掃除機用吸込具の断面図、（ｂ）同電気掃除機用吸込具の部分断面図
【図８】本発明の実施の形態３における電気掃除機用吸込具の断面図
【図９】他の例を示す電気掃除機用吸込具の断面図
【図１０】従来の電気掃除機用吸込具の構成図
【符号の説明】
【００４８】
１    電気掃除機用吸込具（吸込具）
２    清掃体
３    回転ブラシ
４    回転ブラシ収納室
５    軸受け
７    吸い込み口
８    掃除機本体
９    ノズルパイプ
１０  延長管（接続部品）
１１  ホース
１２  回動中心
１４  空気流入口
１６  ローラー
１７  突出部
１８  上方空気取入口
１９  前方空気取入口
２０  平板
２１、２５  回転抑制手段
２４、３０  イオン板（部材）
【図１】
2009017911.tif 000003
【図２】
2009017911.tif 000004
【図３】
2009017911.tif 000005
【図４】
2009017911.tif 000006
【図５】
2009017911.tif 000007
【図６】
2009017911.tif 000008
【図７】
2009017911.tif 000009
【図８】
2009017911.tif 000010
【図９】
2009017911.tif 000011
【図１０】
2009017911.tif 000012